(57)【要約】【課題】引き出し箱の使い勝手を高めることができる家具を提供する。【解決手段】引き出し箱４，５を、外引き出し箱２０，２１と、該外引き出し箱２０，２１と共通の収納部ａ，ｂを有する中引き出し箱２２ｐ２３とを備えたものとし、上記外引き出し箱２０，２１は、上記中引き出し箱２２，２３とともに一方向（前方向）Ａに出し入れ可能とし、上記中引き出し箱２２，２３は、上記外引き出し箱２０，２１とは独立して上記一方向Ａとは異なる方向（横方向）Ｂに出し入れ可能とした。【選択図】      図１
2007151664.tif 000002
【特許請求の範囲】
【請求項１】
家具本体内に収容された引き出し箱を出し入れするようにした家具であって、上記引き出し箱を、外引き出し箱と、該外引き出し箱と共通の収納部を有する中引き出し箱とを備えたものとし、上記外引き出し箱は、上記中引き出し箱とともに一方向に出し入れされ、上記中引き出し箱は、上記外引き出し箱とは独立して上記一方向とは異なる方向に出し入れされることを特徴とする家具。
【請求項２】
請求項１において、上記外引き出し箱は、上記家具本体にガイド部材を介して出し入れ自在に案内支持され、上記中引き出し箱は、上記外引き出し箱にガイド部材を介して出し入れ自在に案内支持されていることを特徴とする家具。
【請求項３】
請求項１又は２において、上記中引き出し箱は、上記外引き出し箱の出し入れ方向と直交する方向に出し入れするようになっていることを特徴とする家具。
【請求項４】
請求項１ないし３の何れかにおいて、上記外引き出し箱は、これの出し入れ方向から見て、少なくとも前壁と底壁とを有し、上記中引き出し箱は、これの出し入れ方向から見て、前，後壁と左，右側壁及び底壁とを有し、該前，後壁が上記外引き出し箱の左，右側壁を兼用し、左，右側壁の一方が上記外引き出し箱の後壁を兼用していることを特徴とする家具。
【発明の詳細な説明】
【技術分野】
【０００１】
本発明は、家具本体内に収容された引き出し箱を出し入れするようにした家具に関する。
【背景技術】
【０００２】
日常的に使われる家具では、使い勝手を高めるための様々な工夫がなされている。例えば、特許文献１，２では、引き出し箱内にこれとは別に収納箱を設け、引き出し箱を引き出すことにより、上記収納箱を引き出し箱の引き出し方向と直交する方向に出し入れするようにしたものが提案されている。
【特許文献１】実開昭６３−６６９４２号公報
【特許文献２】実開平２−１１９８３５号公報
【発明の開示】
【発明が解決しようとする課題】
【０００３】
ところで、上記従来の家具では、引き出し箱を引き出してから収納箱を出し入れするようになっており、引き出し箱の出し入れ方向が同じ方向であり、使い勝手が必ずしも良いといえない場合がある。例えば、机の椅子に座ったまま引き出し箱を出し入れできるように配置した場合には、椅子に一旦座らなければ引き出し箱を出し入れすることができない場合があり、使い勝手が良くないという問題がある。
【０００４】
本発明は、上記従来の実情に鑑みてなされたもので、引き出し箱の使い勝手を高めることができる家具を提供することを目的としている。
【課題を解決するための手段】
【０００５】
請求項１の発明は、家具本体内に収容された引き出し箱を出し入れするようにした家具であって、上記引き出し箱を、外引き出し箱と、該外引き出し箱と共通の収納部を有する中引き出し箱とを備えたものとし、上記外引き出し箱は、上記中引き出し箱とともに一方向に出し入れされ、上記中引き出し箱は、上記外引き出し箱とは独立して上記一方向とは異なる方向に出し入れされることを特徴としている。
【０００６】
請求項２の発明は、請求項１において、上記外引き出し箱は、上記家具本体にガイド部材を介して出し入れ自在に案内支持され、上記中引き出し箱は、上記外引き出し箱にガイド部材を介して出し入れ自在に案内支持されていることを特徴としている。
【０００７】
請求項３の発明は、請求項１又は２において、上記中引き出し箱は、上記外引き出し箱の出し入れ方向と直交する方向に出し入れするようになっていることを特徴としている。
【０００８】
請求項４の発明は、請求項１ないし３の何れかにおいて、上記外引き出し箱は、これの出し入れ方向から見て、少なくとも前壁と底壁とを有し、上記中引き出し箱は、これの出し入れ方向から見て、前，後壁と左，右側壁及び底壁とを有し、該前，後壁が上記外引き出し箱の左，右側壁を兼用し、左，右側壁の一方が上記外引き出し箱の後壁を兼用していることを特徴としている。
【発明の効果】
【０００９】
本発明に係る家具によれば、外引き出し箱内に共通の収納部を有する中引き出し箱を配置し、外引き出し箱を中引き出し箱とともに一方向に出し入れし、中引き出し箱を外引き出し箱の出し入れ方向とは異なる方向に出し入れするようにしたので、引き出し箱をそれぞれ異なる方向から出し入れすることができ、使い勝手を高めることができる。
【００１０】
請求項２の発明では、外引き出し箱を家具本体によりガイド部材を介して案内支持し、中引き出し箱を外引き出し箱によりガイド部材を介して案内支持したので、外，中引き出し箱を互いに干渉することなくスムーズに出し入れすることができる。
【００１１】
請求項３の発明では、中引き出し箱を外引き出し箱の出し入れ方向と直交方向に出し入れするようにしたので、家具の例えば正面と側面とから出し入れすることができ、使い勝手をより一層高めることができる。
【００１２】
請求項４の発明では、外引き出し箱を、これの出し入れ方向から見て、前壁と底壁とを有するものとし、中引き出し箱を、これの出し入れ方向から見て、前，後壁と左，右側壁及び底壁とを有するものとしたので、中引き出し箱が外引き出し箱の左，右側壁及び後壁を兼用することとなり、引き出し箱の軽量化を可能にできるとともに、コストを低減できる。
【発明を実施するための最良の形態】
【００１３】
以下、本発明の実施の形態を添付図面に基づいて説明する。
【００１４】
図１ないし図３は、本発明の一実施形態による家具を説明するための図であり、図１，図２は家具の斜視図、図３は家具の分解斜視図である。
【００１５】
図において、１は家具を示しており、これは家具本体２と、該家具本体２内に収容された３つの上段，中段，下段引き出し箱３，４，５とを備えている。この各引き出し箱３，４，５は、それぞれ上段，中段，下段と順に収納容量が大きくなっており、左右方向寸法より前後方向寸法が小さい長方形状をなしている。
【００１６】
上記家具本体２は、底板６と、天板７との間に上，下中間板８，９を配置し、この各板６〜９を左側板１０，後板１１及び円筒状の支柱１２により支持固定した構造となっている。これにより上記家具本体２には、Ａ方向（正面）に開口する３つの前出し入れ口２ａと、該前出し入れ口２ａと直交するＢ方向（右側面）に開口する３つの横出し入れ口２ｂとが形成されている。また上記家具本体２は、底板６の四隅に取付けられた各キャスタ１３により移動可能となっている。
【００１７】
上記家具本体２の天板７には、図３に示すように、本棚１４が左，右のヒンジ部材１５，１５を介して該天板７上に当接する非使用位置と、該天板７の後縁部に略垂直をなすよう起立する使用位置との間で回動可能に支持されている。
【００１８】
上記上段引き出し箱３は、前，後壁３ａ，３ｂと、左，右側壁３ｃ，３ｄ及び底壁３ｅとからなる単体のものである。上記前壁３ａには把手１７が取付けられ、右側壁３ｄには把手穴３ｆが形成されている。
【００１９】
上記上段引き出し箱３は、家具本体２の上段の前出し入れ口２ａから前方向Ａに出し入れ可能となっており、横出し入れ口２ｂからも横方向Ｂに出し入れ可能となっている。
【００２０】
上記中段，下段引き出し箱４，５は、それぞれ外引き出し箱２０，２１と、該外引き出し箱２０，２１と共通の収納部ａ，ｂを有する中引き出し箱２２，２３とを備えている。この中段，下段の各外引き出し箱２０，２１は、中引き出し箱２２，２３とともに前方向Ａに出し入れされ、該各中引き出し箱２２，２３は、上記外引き出し箱２０，２１とは独立して横方向Ｂに出し入れされる。
【００２１】
上記中段，下段引き出し箱４，５は、略同一の構造であるので、中段引き出し箱４について以下詳細に説明する。
【００２２】
上記外引き出し箱２０は、前方向Ａから見て、前壁２０ａと底壁２０ｂとを有している。この前壁２０ａは、上記家具本体２の中段の前出し入れ口２ａを閉塞する大きさを有しており、該前壁２０ａには把手２５が取付けられている。
【００２３】
上記中引き出し箱２２は、外引き出し箱２０の底壁２０ｂ上に配置され、横方向Ｂから見て、前，後壁２２ａ，２２ｂと、左，右側壁２２ｃ，２２ｄ及び底壁２２ｅとを有しており、これらの各壁２２ａ〜２２ｅで囲まれた空間が上記収納部ａとなっている。この中引き出し箱２２の前壁２２ａは上記中段の横出し入れ口２ｂを閉塞する大きさを有している。
【００２４】
上記中引き出し箱２２は、外引き出し箱２０に収容した状態で見ると、これの前，後壁２２ａ，２２ｂが上記外引き出し箱２０の左，右側壁を兼用しており、右側壁２２ｄが外引き出し箱２０の後壁を兼用している。
【００２５】
上記中引き出し箱２２の前壁２２ａには、指が挿入可能な把手穴２２ｆが形成されている。この把手穴２２ｆは、外側から内側にいくほど穴径が大きくなるようテーパ状に形成されている。これにより中引き出し箱２２を引き出すときに指が引っ掛かり易く、かつ外方から見たときに把手穴２２ｆが目立ち難くなっている。
【００２６】
上記外引き出し箱２０は、家具本体２にガイド部材２７を介して前方向Ａに出し入れ自在に案内支持されている。このガイド部材２７は、下中間板９に配置固定された左，右一対のレール２７ａ，２７ａと、上記外引き出し箱２０の底板２０ｂに配置固定された左，右一対のガイド２７ｂ，２７ｂとを有しており、該左，右のガイド２７ｂが上記レール２７ａに摺動自在に係合している。
【００２７】
上記中引き出し箱２２は、外引き出し箱２０にガイド部材２８を介して横方向Ｂに出し入れ自在に案内支持されている。このガイド部材２８は、外引き出し箱２０の前壁２０ａに配置固定されたレール２８ａと、上記中引き出し箱２２の右側壁２２ｃに配置固定されたガイド２８ｂとからなり、該ガイド２８ｂが上記レール２８ａに摺動自在に係合している。
【００２８】
上記外引き出し箱２０の底板２０ｂには段差部２０ｃが形成されている。上記中引き出し箱２２の前壁２２ａの下縁部２２ｇは、底壁２２ｅより下方に若干突出しており、該下縁部２２ｇが上記段差部２０ｃに当接することにより、中引き出し箱２２の収容位置を規制している。
【００２９】
本実施形態の家具１は、中段引き出し箱４を前方向Ａに引き出すには、把手２５を持って引き出す。すると外引き出し箱２０が中引き出し箱２２とともに引き出されることとなる。一方、中段引き出し箱４を横方向Ｂに引き出すには、中引き出し箱２２の把手穴２２ｆに指を引っ掛けて引き出す。すると中引き出し箱２２だけが引き出されることとなる。
【００３０】
このように本実施形態では、外引き出し箱２０内に共通の収納部ａを有する中引き出し箱２２を収容配置し、上記外引き出し箱２０を中引き出し箱２２とともに前方向Ａに出し入れ可能とし、中引き出し箱２２を前方向Ａと直交する横方向Ｂに出し入れ可能したので、中段引き出し箱４を家具１の正面と側面とから出し入れすることができ、使い勝手を高めることができる。
【００３１】
本実施形態では、上記外引き出し箱２０をガイド部材２７を介して家具本体２により前方向Ａに案内支持し、上記中引き出し箱２２をガイド部材２８を介して外引き出し箱２０により横方向Ｂに案内支持したので、外，中引き出し箱２０，２２を互いに干渉することなくスムーズに出し入れすることができる。
【００３２】
本実施形態では、上記外引き出し箱２０を、前方向Ａから見て、前壁２０ａと底壁２０ｂとを有するものとし、上記中引き出し箱２２を、横方向Ｂから見て、前，後壁２２ａ，２２ｂと左，右側壁２２ｃ，２２ｄ及び底壁２２ｅとを有するものとしたので、中引き出し箱２２が外引き出し箱２０の左，右側壁及び後壁を兼用することとなり、中段引き出し箱４の軽量化を可能にできるとともに、コストを低減できる。
【００３３】
なお、上記実施形態では、外引き出し箱２０を前壁２０ａと底壁２０ｂとを有するものとしたが、本発明では、図３の二点鎖線で示すように、後壁２０ｄ及び左側壁２０ｅを追加してもよい。この場合には中引き出し箱２２の案内支持をより一層確実に行なうことができる。
【図面の簡単な説明】
【００３４】
【図１】本発明の一実施形態による家具を説明するための斜視図である。
【図２】上記家具の斜視図である。
【図３】上記家具の分解斜視図である。
【符号の説明】
【００３５】
１  家具
２  家具本体
４，５  引き出し箱
２０，２１  外引き出し箱
２０ａ  前壁
２０ｂ  底壁
２２，２３  中引き出し箱
２２ａ  前壁
２２ｂ  後壁
２２ｃ，２２ｄ  側壁
２２ｅ  底壁
２７，２８  ガイド部材
Ａ  前方向（一方向）
Ｂ  横方向（異なる方向）
ａ，ｂ  収納部
【図１】
2007151664.tif 000003
【図２】
2007151664.tif 000004
【図３】
2007151664.tif 000005